(57)【要約】【課題】特定の番号帯の消費を抑える。【解決手段】通信システム（１）の仮登録手段（１２Ｂ）は、ユーザによる契約前のＳＩＭカード（４０）を、第１の番号帯に属する第１の電話番号で通信可能な仮登録状態となるように、通信システム（１）に登録する。通信制御手段（１３Ｂ）は、仮登録状態のＳＩＭカード（４０）を含む通信端末（３０）からの通信要求を受信した場合に、第１の電話番号に基づいて、当該通信端末（３０）を契約用サイトにアクセスさせる。本登録手段（１２Ｃ）は、契約用サイトで契約が行われた場合に、ＳＩＭカード（４０）を、第２の番号帯に属する第２の電話番号で通信可能な本登録状態となるように、通信システム（１）に登録する。【選択図】図３
2019062509.tif 000002
【特許請求の範囲】
【請求項１】
通信を制御する通信システムであって、
ユーザによる契約前のＳＩＭカードを、第１の番号帯に属する第１の電話番号で通信可能な仮登録状態となるように、前記通信システムに登録する仮登録手段と、
仮登録状態の前記ＳＩＭカードを含む通信端末からの通信要求を受信した場合に、前記第１の電話番号に基づいて、当該通信端末を契約用サイトにアクセスさせる通信制御手段と、
前記契約用サイトで契約が行われた場合に、前記ＳＩＭカードを、第２の番号帯に属する第２の電話番号で通信可能な本登録状態となるように、前記通信システムに登録する本登録手段と、
を含むことを特徴とする通信システム。
【請求項２】
前記第２の番号帯は、空き番号の数が前記第１の番号帯よりも少ない、
ことを特徴とする請求項１に記載の通信システム。
【請求項３】
前記第１の番号帯は、ユニバーサルサービス料が発生しない番号帯であり、
前記第２の番号帯は、前記ユニバーサルサービス料が発生する番号帯である、
ことを特徴とする請求項１又は２に記載の通信システム。
【請求項４】
前記第１の番号帯は、データ通信専用の番号帯であり、
前記第２の番号帯は、通話が可能な番号帯である、
ことを特徴とする請求項１〜３の何れかに記載の通信システム。
【請求項５】
前記通信制御手段は、仮登録状態の前記ＳＩＭカードを含む通信端末からの通信要求を受信した場合に、当該通信端末が前記契約用サイト以外にアクセスすることを制限する、
ことを特徴とする請求項１〜４の何れかに記載の通信システム。
【請求項６】
仮登録状態の前記ＳＩＭカードは、前記第１の電話番号を記憶し、
前記通信システムは、前記本登録手段が前記ＳＩＭカードを本登録状態にした場合に、前記通信端末に対し、前記第１の電話番号に代えて前記第２の電話番号を前記ＳＩＭカードに書き込むための指示を送信する送信手段、
を更に含むことを特徴とする請求項１〜５の何れかに記載の通信システム。
【請求項７】
前記契約用サイトでは、前記第１の電話番号のまま契約する第１の契約、又は、前記第１の電話番号を前記第２の電話番号に変更して契約する第２の契約が可能であり、
前記本登録手段は、前記ユーザが前記第１の契約をした場合は前記第１の電話番号のまま前記ＳＩＭカードを本登録状態とし、前記ユーザが前記第２の契約をした場合は前記第２の電話番号で前記ＳＩＭカードを本登録状態とする、
ことを特徴とする請求項１〜６の何れかに記載の通信システム。
【請求項８】
ユーザによる契約前のＳＩＭカードを、第１の番号帯に属する第１の電話番号で通信可能な仮登録状態となるように、通信システムに登録する仮登録ステップと、
仮登録状態の前記ＳＩＭカードを含む通信端末からの通信要求を受信した場合に、前記第１の電話番号に基づいて、当該通信端末を契約用サイトにアクセスさせる通信制御ステップと、
前記契約用サイトで契約が行われた場合に、前記ＳＩＭカードを、第２の番号帯に属する第２の電話番号で通信可能な本登録状態となるように、前記通信システムに登録する本登録ステップと、
を含むことを特徴とする通信方法。
【請求項９】
ユーザによる契約前のＳＩＭカードを、第１の番号帯に属する第１の電話番号で通信可能な仮登録状態となるように、通信システムに登録する仮登録手段、
仮登録状態の前記ＳＩＭカードを含む通信端末が前記第１の電話番号に基づいてアクセスした契約用サイトで契約が行われた場合に、前記ＳＩＭカードを、第２の番号帯に属する第２の電話番号で通信可能な本登録状態となるように、前記通信システムに登録する本登録手段、
としてコンピュータを機能させるためのプログラム。
【発明の詳細な説明】
【技術分野】
【０００１】
本発明は、通信システム、通信方法、及びプログラムに関する。
【背景技術】
【０００２】
近年、通信技術の発達に伴い、ＳＩＭ（Subscriber Identity Module）カードを装着した通信端末が普及している。特許文献１には、電話番号を書き込んだ状態でＳＩＭカードを販売することによって、ＳＩＭカードの購入後すぐに通信端末を使用可能にする通信システムが記載されている。
【先行技術文献】
【特許文献】
【０００３】
【特許文献１】特開２００７−１１６２１２号公報
【発明の概要】
【発明が解決しようとする課題】
【０００４】
上記のような技術では、通信端末の利用台数の増加に伴い、例えば０７０番号帯、０８０番号帯、及び０９０番号帯などの特定の番号帯が枯渇しつつある。しかしながら、例えば特許文献１のようにＳＩＭカードを販売する場合、購入後すぐに使用できるように、契約前のＳＩＭカードに対し、上記特定の番号帯の電話番号を予め割り当てている。このため、契約前のＳＩＭカードのために、貴重な番号帯の電話番号を消費している。
【０００５】
本発明は上記課題に鑑みてなされたものであって、その目的は、特定の番号帯の消費を抑えることである。
【課題を解決するための手段】
【０００６】
上記課題を解決するために、本発明に係る通信システムは、通信を制御する通信システムであって、ユーザによる契約前のＳＩＭカードを、第１の番号帯に属する第１の電話番号で通信可能な仮登録状態となるように、前記通信システムに登録する仮登録手段と、仮登録状態の前記ＳＩＭカードを含む通信端末からの通信要求を受信した場合に、前記第１の電話番号に基づいて、当該通信端末を契約用サイトにアクセスさせる通信制御手段と、前記契約用サイトで契約が行われた場合に、前記ＳＩＭカードを、第２の番号帯に属する第２の電話番号で通信可能な本登録状態となるように、前記通信システムに登録する本登録手段と、を含むことを特徴とする。
【０００７】
本発明に係る通信方法は、ユーザによる契約前のＳＩＭカードを、第１の番号帯に属する第１の電話番号で通信可能な仮登録状態となるように、通信システムに登録する仮登録ステップと、仮登録状態の前記ＳＩＭカードを含む通信端末からの通信要求を受信した場合に、前記第１の電話番号に基づいて、当該通信端末を契約用サイトにアクセスさせる通信制御ステップと、前記契約用サイトで契約が行われた場合に、前記ＳＩＭカードを、第２の番号帯に属する第２の電話番号で通信可能な本登録状態となるように、前記通信システムに登録する本登録ステップと、を含むことを特徴とする。
【０００８】
本発明に係るプログラムは、ユーザによる契約前のＳＩＭカードを、第１の番号帯に属する第１の電話番号で通信可能な仮登録状態となるように、通信システムに登録する仮登録手段、仮登録状態の前記ＳＩＭカードを含む通信端末が前記第１の電話番号に基づいてアクセスした契約用サイトで契約が行われた場合に、前記ＳＩＭカードを、第２の番号帯に属する第２の電話番号で通信可能な本登録状態となるように、前記通信システムに登録する本登録手段、としてコンピュータを機能させる。
【０００９】
本発明の一態様によれば、前記第２の番号帯は、空き番号の数が前記第１の番号帯よりも少ない、ことを特徴とする。
【００１０】
本発明の一態様によれば、前記第１の番号帯は、ユニバーサルサービス料が発生しない番号帯であり、前記第２の番号帯は、前記ユニバーサルサービス料が発生する番号帯である、ことを特徴とする。
【００１１】
本発明の一態様によれば、前記第１の番号帯は、データ通信専用の番号帯であり、前記第２の番号帯は、通話が可能な番号帯である、ことを特徴とする。
【００１２】
本発明の一態様によれば、前記通信制御手段は、仮登録状態の前記ＳＩＭカードを含む通信端末からの通信要求を受信した場合に、当該通信端末が前記契約用サイト以外にアクセスすることを制限する、ことを特徴とする。
【００１３】
本発明の一態様によれば、仮登録状態の前記ＳＩＭカードは、前記第１の電話番号を記憶し、前記通信システムは、前記本登録手段が前記ＳＩＭカードを本登録状態にした場合に、前記通信端末に対し、前記第１の電話番号に代えて前記第２の電話番号を前記ＳＩＭカードに書き込むための指示を送信する送信手段、を更に含むことを特徴とする。
【００１４】
本発明の一態様によれば、前記契約用サイトでは、前記第１の電話番号のまま契約する第１の契約、又は、前記第１の電話番号を前記第２の電話番号に変更して契約する第２の契約が可能であり、前記本登録手段は、前記ユーザが前記第１の契約をした場合は前記第１の電話番号のまま前記ＳＩＭカードを本登録状態とし、前記ユーザが前記第２の契約をした場合は前記第２の電話番号で前記ＳＩＭカードを本登録状態とする、ことを特徴とする。
【発明の効果】
【００１５】
本発明によれば、特定の番号帯の消費を抑えることができる。
【図面の簡単な説明】
【００１６】
【図１】通信システムの全体構成を示す図である。
【図２】ユーザがＳＩＭカードの利用を開始するまでの流れを示す図である。
【図３】通信システムで実現される機能の一例を示す機能ブロック図である。
【図４】登録状態データベースのデータ格納例を示す図である。
【図５】通信システムにおいて実行される処理の一例を示すフロー図である。
【図６】通信システムにおいて実行される処理の一例を示すフロー図である。
【発明を実施するための形態】
【００１７】
［１．通信システムの全体構成］
以下、本発明に関わる通信システムの実施形態の例を説明する。図１は、通信システムの全体構成を示す図である。図１に示すように、通信システム１は、ＭＶＮＯ（Mobile Virtual Network Operator）システム１０、ＭＮＯ（Mobile Network Operator）システム２０、及び通信端末３０を含む。
【００１８】
ＭＶＮＯシステム１０、ＭＮＯシステム２０、及び通信端末３０は、通信ネットワークに接続可能である。即ち、ＭＶＮＯシステム１０、ＭＮＯシステム２０、及び通信端末３０は、ＭＮＯが保有する物理的な回線網と基地局等によって、通信可能に接続される。なお、図１では、ＭＶＮＯシステム１０、ＭＮＯシステム２０、及び通信端末３０を１つずつ示しているが、これらは複数存在してもよい。
【００１９】
ＭＶＮＯシステム１０は、ＭＶＮＯが管理するシステムである。ＭＶＮＯは、自らは回線網と基地局等を保有せず、ＭＮＯが保有する回線網と基地局等を利用することによって、ユーザに移動通信サービスを提供する電気通信事業者である。なお、ここでのユーザとは、通信システム１のエンドユーザを意味し、電話の加入者を意味する。このため、本実施形態でユーザと記載した箇所は、エンドユーザ又は加入者と読み替えることができる。
【００２０】
本実施形態では、ＭＶＮＯシステム１０は、センター端末１１、管理システム１２、及びネットワーク装置１３を含む。センター端末１１、管理システム１２、及びネットワーク装置１３は、ＭＶＮＯ内の通信ネットワークに接続される。
【００２１】
センター端末１１は、ＭＶＮＯの従業員が操作するコンピュータである。センター端末１１は、例えば、パーソナルコンピュータ又は携帯情報端末（タブレット型コンピュータを含む）等であり、制御部、記憶部、通信部、操作部、及び表示部を含む。
【００２２】
制御部は、少なくとも一つのマイクロプロセッサを含む。制御部は、記憶部に記憶されたプログラムやデータに従って処理を実行する。記憶部は、主記憶部及び補助記憶部を含む。例えば、主記憶部はＲＡＭなどの揮発性メモリであり、補助記憶部は、ＲＯＭ、ＥＥＰＲＯＭ、フラッシュメモリ、又はハードディスクなどの不揮発性メモリである。通信部は、有線通信又は無線通信用の通信インタフェースである。操作部は、入力デバイスであり、例えば、タッチパネルやマウス等のポインティングデバイス、キーボード、又はボタン等である。表示部は、例えば、液晶表示部又は有機ＥＬ表示部等である。
【００２３】
管理システム１２は、ＭＶＮＯの移動通信サービスを提供するシステムであり、少なくとも１つのサーバコンピュータを含む。サーバコンピュータは、制御部、記憶部、及び通信部を含み、これらのハードウェア構成は、それぞれセンター端末１１の制御部、記憶部、及び通信部と同様である。
【００２４】
例えば、管理システム１２は、ＢＳＳ（Business Support System）、ＨＳＳ／ＨＬＲ（Home Subscriber Server／Home Location Register）、及びＳＭＳＣ（Short Message Service Center）を含む。ＢＳＳは、ＭＶＮＯの業務支援システムである。ＨＳＳ／ＨＬＲは、通信を許可するユーザを認識するためのシステムであり、ユーザに関する各種データベースを管理する。ＳＭＳＣは、ＳＭＳ（Short Message Service）の送受信を制御するシステムである。
【００２５】
ネットワーク装置１３は、ＬＴＥ(Long Term Evolution)網等の通信網を構成するネットワーク装置群であり、例えば、ＥＰＣ（Evolved Packet Core）と呼ばれる通信機器である。ＥＰＣは、ネットワーク装置１３のハードウェア構成自体は、公知のＥＰＣのネットワーク装置群を適用可能である。
【００２６】
ＭＮＯシステム２０は、ＭＮＯが管理するシステムである。ＭＮＯは、物理的な回線網と基地局等を自社で保有し、ユーザに移動通信サービスを提供する電気通信事業者のことである。ＭＮＯシステム２０は、少なくとも１つのサーバコンピュータと、少なくとも１つの無線設備と、を含む。サーバコンピュータは、制御部、記憶部、及び通信部を含み、これらのハードウェア構成は、それぞれセンター端末１１の制御部、記憶部、及び通信部と同様である。ＭＮＯシステム２０は、例えば、ＢＳＳ、ＨＳＳ／ＨＬＲ、及びＳＭＳＣを含む。無線設備は、通信端末３０と直接的に無線通信をする無線基地局である。
【００２７】
通信端末３０は、ユーザが操作するコンピュータであり、例えば、携帯電話（スマートフォンを含む）、携帯情報端末（タブレット型コンピュータを含む）、又はパーソナルコンピュータ等である。通信端末３０は、制御部、記憶部、通信部、操作部、及び表示部を含み、これらのハードウェア構成は、それぞれセンター端末１１の制御部、記憶部、通信部、操作部、及び表示部と同様である。また、通信端末３０は、ＳＩＭカードスロットを含み、ＳＩＭカード４０が着脱可能となっている。
【００２８】
ＳＩＭカード４０は、携帯電話の加入者を特定するための情報などが記録されるＩＣカードである。ＳＩＭカード４０は、制御部と記憶部を含む。ＳＩＭカード４０の制御部と記憶部のハードウェア構成は、それぞれセンター端末１１の制御部と記憶部と同様である。ＳＩＭカード４０は、ＳＩＭカードスロットを介して通信端末３０とデータ入出力が可能となっている。
【００２９】
なお、上記説明した各コンピュータの記憶部に記憶されるものとして説明するプログラム及びデータは、ネットワークを介して供給されるようにしてもよい。また、通信システム１のハードウェア構成は、上記の例に限られず、種々のハードウェアを適用可能である。例えば、コンピュータ読み取り可能な情報記憶媒体を読み取る読取部（例えば、光ディスクドライブやメモリカードスロット）や外部機器とデータの入出力をするための入出力部（例えば、ＵＳＢポート）が含まれていてもよい。例えば、情報記憶媒体に記憶されたプログラムやデータが読取部や入出力部を介して供給されるようにしてもよい。
【００３０】
［２．通信システムで実行される処理の概要］
次に、通信システム１で実行される処理の概要を説明する。従来は、ＭＶＮＯはＨＳＳ／ＨＬＲを保有しておらず、ＭＮＯがＨＳＳ／ＨＬＲを管理していたため、ＭＶＮＯは、ＭＮＯから発行してもらったＳＩＭカード４０を販売していた。最近、ＨＳＳ／ＨＬＲが開放され、ＭＶＮＯが独自のＨＳＳ／ＨＬＲを保有できるようになっている。このため、ＭＶＮＯは、ＭＮＯからＳＩＭカード４０を発行してもらうのではなく、独自にＳＩＭカード４０を発行することができるようになっている。
【００３１】
ここでは、ＭＶＮＯがＳＩＭカード４０をＳＩＭベンダに発注してから、ユーザがＳＩＭカード４０を購入して利用を開始するまでの流れをもとに、通信システム１で実行される処理の概要を説明する。なお、ＳＩＭベンダは、ＭＶＮＯやＭＮＯからの発注を受けてＳＩＭカード４０の生産をする事業者である。
【００３２】
図２は、ユーザがＳＩＭカード４０の利用を開始するまでの流れを示す図である。本実施形態では、ＭＶＮＯには、使用可能なＩＭＳＩ（International Mobile Subscriber Identity）が総務省から付与されている。ＩＭＳＩは、携帯電話の加入者に割り当てられる一意な識別番号である。ＩＭＳＩは、ＳＩＭカード４０に格納されるため、ＳＩＭカード４０ごとの固有の番号ということもできる。
【００３３】
まず、ＭＶＮＯは、自身が保有するＩＭＳＩに基づいて、ＳＩＭベンダに対し、ＳＩＭカード４０を発注する（Ｓ１）。例えば、ＭＶＮＯは、ＳＩＭベンダに対し、ＩＭＳＩとＭＳＩＳＤＮ（Mobile Subscriber Integrated Services Digital Network Number又はMobile Station International Subscriber Directory Number）の組み合わせを示す発注リストを送付することによって、ＳＩＭカード４０を発注する。発注リストは、書面で送付されてもよいし、電子データで送付されてもよい。
【００３４】
ＭＳＩＳＤＮは、ＳＩＭカード４０に割り当てられた電話番号である。ＭＳＩＳＤＮは、携帯電話の加入者を識別可能な情報という点ではＩＭＳＩと同様であり、ＭＳＩＳＤＮとＩＭＳＩは、１対１で対応している。ＭＳＩＳＤＮは、国際公衆通信番号計画で定義されており、ＭＮＯ又はＭＶＮＯごとに使用可能な番号帯が定められている。なお、ＩＭＳＩは、いったんＳＩＭカード４０に割り当てられると原則として変更できないが、ＭＳＩＳＤＮは、ＳＩＭカード４０に割り当てられた後であっても変更できる。発注リストには、ＩＭＳＩとＭＳＩＳＤＮの対応関係が記載されている。
【００３５】
本実施形態では、発注リストに含まれるＭＳＩＳＤＮは、０２０番号帯となっている。０２０番号帯は、０２０から始まるＭＳＩＳＤＮである。０２０番号帯は、データ通信専用の番号帯であり、本出願の出願時点では、加入電話や緊急通報などのユニバーサルサービスの提供を確保するために定められたユニバーサル料の対象とはなっていない。
【００３６】
ＳＩＭベンダは、ＭＶＮＯから受け取った発注リストに基づいて、ＳＩＭカード４０を生産し、ＭＶＮＯに納品する（Ｓ２）。ＳＩＭベンダは、ＩＭＳＩとＭＳＩＳＤＮが書き込まれていない状態のＳＩＭカード４０を保有しており、専用の書き込み装置を利用して、ＳＩＭカード４０に対し、発注リストに記載されたＩＭＳＩとＭＳＩＳＤＮを書き込む。
【００３７】
なお、ＳＩＭカード４０には、ＩＭＳＩとＭＳＩＳＤＮとは別に、ＳＩＭカード４０自身のシリアル番号（個体識別番号）が予め書き込まれているものとする。ＳＩＭベンダは、ＭＶＮＯに対し、ＳＩＭカード４０のシリアル番号、ＩＭＳＩ、及びＭＳＩＳＤＮの組み合わせを示す納品予定リストを送付し、ＳＩＭカード４０を納品する。即ち、納品予定リストには、シリアル番号、ＩＭＳＩ、及びＭＳＩＳＤＮの対応関係が記載されている。納品予定リストは、書面で送付されてもよいし、電子データで送付されてもよい。
【００３８】
ＭＶＮＯが納品予定リストを受け取ると、ＭＶＮＯシステム１０とＭＮＯシステム２０との間で、ＳＩＭカード４０の仮登録が行われる（Ｓ３）。本実施形態では、ユーザは、自身の通信端末３０を操作してＳＩＭカード４０の契約手続きをすることができ、仮登録は、契約前のＳＩＭカード４０が装着された通信端末３０を、所定の契約用サイトにアクセスさせるために行われる。仮登録の詳細は後述する。
【００３９】
ＳＩＭカード４０の仮登録が完了すると、ＭＶＮＯは、小売店に対し、ＳＩＭカード４０を出荷する（Ｓ４）。小売店は、受け取ったＳＩＭカード４０を店頭に陳列したり自動販売機に格納したりして、ユーザに販売可能な状態にする。この時点では、ＳＩＭカード４０には、０２０番号帯のＭＳＩＳＤＮが割り当てられているので、ユニバーサル料は発生しない。
【００４０】
ユーザは、小売店でＳＩＭカード４０を購入し（Ｓ５）、当該ＳＩＭカード４０を通信端末３０に装着する（Ｓ６）。この時点では、ＳＩＭカード４０は、契約前であり、かつ、仮登録された状態なので、通信端末３０は、契約用サイトにしかアクセスできないようになっている。また、ＳＩＭカード４０には、０２０番号帯のＭＳＩＳＤＮが割り当てられているので、ユニバーサル料は、まだ発生していない。
【００４１】
ユーザが通信端末３０の通信機能を起動させると、通信端末３０は、ＭＶＮＯシステム１０の制御により、ＭＶＮＯの契約用サイトにアクセスする（Ｓ７）。Ｓ７の処理の詳細は後述するが、通信端末３０に装着されたＳＩＭカード４０は仮登録された状態なので、ユーザがブラウザ上で任意のウェブサイトを指定したとしても、通信端末３０は、契約用サイトに強制的にアクセスすることになる。契約用サイトには、ユーザが契約情報を入力するための入力フォームや利用規約に同意する旨のチェックボックス等が表示され、例えば、利用規約の同意、料金プランの選択、ユーザの名前や住所の入力、本人確認書類のアップロード、及び支払方法の選択などが行われる。
【００４２】
契約用サイトが通信端末３０に表示されると、ＭＶＮＯシステム１０と通信端末３０との間で、ＳＩＭカード４０の契約処理が実行される（Ｓ８）。Ｓ８においては、ユーザが入力した契約情報がＭＶＮＯシステム１０に登録される。
【００４３】
ＳＩＭカード４０の契約処理が完了すると、ＯＴＡ（Over The Air）を利用して、ＳＩＭカード４０内のＭＳＩＳＤＮが、０２０番号帯から、０７０番号帯、０８０番号帯、又は０９０番号帯に書き換えられる（Ｓ９）。０７０番号帯、０８０番号帯、又は０９０番号帯は、通話が可能な番号帯であり、ユニバーサル料が発生する番号帯である。近年の携帯電話の普及に伴い、０７０番号帯、０８０番号帯、又は０９０番号帯は枯渇気味となっており、Ｓ９の段階で、潤沢な０２０番号帯のＭＳＩＳＤＮから、枯渇気味の番号帯のＭＳＩＳＤＮに変わることになる。
【００４４】
ＳＩＭカード４０のＭＳＩＳＤＮが書き換えられると、ＭＶＮＯシステム１０とＭＮＯシステム２０との間で、ＳＩＭカード４０の本登録が行われる（Ｓ１０）。本登録は、ＳＩＭカード４０の利用を開始するために行われる。本登録が行われると、ユーザは、契約用サイト以外の任意のウェブサイトにアクセスできるようになる。また、ＳＩＭカード４０のＭＳＩＳＤＮが０７０番号帯、０８０番号帯、又は０９０番号帯に変わるため、データ通信だけでなく通話も可能になり、この時点からユニバーサル料が発生する。
【００４５】
以上説明したように、本実施形態の通信システム１では、ＭＶＮＯは、小売店に対し、０２０番号帯のＭＳＩＳＤＮを割り当てた状態でＳＩＭカード４０を出荷する。そして、ユーザが契約用サイトで契約をした後に、ＳＩＭカード４０のＭＳＩＳＤＮが、０７０番号帯、０８０番号帯、又は０９０番号帯に変わる。このため、通信システム１では、契約前のＳＩＭカード４０のために、枯渇気味の貴重な番号帯を消費しないようになっている。以降、通信システム１が有する構成の詳細を説明する。
【００４６】
［３．通信システムにおいて実現される機能］
図３は、通信システム１で実現される機能の一例を示す機能ブロック図である。ここでは、ＭＶＮＯシステム１０の管理システム１２とネットワーク装置１３、ＭＮＯシステム２０、通信端末３０、及びＳＩＭカード４０の各々で実現される機能を順に説明する。
【００４７】
［３−１．ＭＶＮＯシステムにおいて実現される機能］
図３に示すように、ＭＶＮＯシステム１０では、管理システム１２において、データ記憶部１２Ａ、仮登録部１２Ｂ、本登録部１２Ｃ、及び指示送信部１２Ｄが実現され、ネットワーク装置１３において、データ記憶部１３Ａと通信制御部１３Ｂが実現される。
【００４８】
［管理システムのデータ記憶部］
管理システム１２のデータ記憶部１２Ａは、管理システム１２内のサーバコンピュータの記憶部を主として実現される。本実施形態では、データ記憶部１２Ａは、管理システム１２内のＢＳＳの記憶部と、管理システム１２内のＨＳＳ／ＨＬＲの記憶部と、によって実現される場合を説明するが、管理システム１２内の他のサーバコンピュータによってデータ記憶部１２Ａが実現されてもよい。
【００４９】
データ記憶部１２Ａは、ＭＶＮＯが提供する移動通信サービスに関する各種データを記憶する。ここでは、データ記憶部１２Ａが記憶するデータの一例として、ＳＩＭ情報データベースと、ユーザ情報データベースと、を説明する。例えば、ＳＩＭ情報データベースは、管理システム１２内のＢＳＳに記憶され、ユーザ情報データベースは、管理システム１２内のＨＳＳ／ＨＬＲに記憶される。
【００５０】
ＳＩＭ情報データベースは、ＭＶＮＯが提供するＳＩＭカード４０に関する情報を格納するデータベースである。例えば、ＳＩＭ情報データベースには、ＳＩＭカード４０のシリアル番号、ＩＭＳＩ、及びＭＳＩＳＤＮ等が関連付けられて格納される。例えば、ＭＶＮＯの担当者は、ＳＩＭベンダから納品予定リストを受け取ると、センター端末１１又は他のコンピュータを操作して、納品予定リストが示すシリアル番号、ＩＭＳＩ、及びＭＳＩＳＤＮの組み合わせをＳＩＭ情報データベースに登録する。ＳＩＭ情報データベースにデータが格納されたＳＩＭカード４０は、仮登録の対象となるＳＩＭカード４０、小売店に出荷されるＳＩＭカード４０、又はユーザに販売するＳＩＭカード４０ということができる。
【００５１】
ユーザ情報データベースは、ＭＶＮＯのユーザに関する情報を格納するデータベースである。例えば、ユーザ情報データベースには、ユーザが使用するＳＩＭカード４０のＩＭＳＩとＭＳＩＳＤＮ等が関連付けられて格納される。ユーザ情報データベースにデータが登録されたＳＩＭカード４０は、ＭＶＮＯが提供する移動通信サービスを利用可能となる。このため、仮登録状態又は本登録状態のＳＩＭカード４０は、ＩＭＳＩとＭＳＩＳＤＮがユーザ情報データベースに登録されることになる。
【００５２】
なお、データ記憶部１２Ａが記憶するデータは、上記の例に限られない。例えば、データ記憶部１２Ａは、ＭＳＩＳＤＮの空き番号を示す空き番号データベースを記憶してもよい。例えば、空き番号データベースは、０２０番号帯、０７０番号帯、０８０番号帯、又は０９０番号帯等の番号帯ごとに空き番号が格納される。ＳＩＭベンダにＳＩＭカード４０を発注する際の発注リストは、０２０番号帯の空き番号が利用される。また例えば、ＳＩＭカード４０の本登録時には、０７０番号帯、０８０番号帯、又は０９０番号帯の空き番号が利用される。
【００５３】
また例えば、データ記憶部１２Ａは、ＳＩＭカード４０の契約時にユーザが入力した契約情報を格納する契約情報データベースを記憶してもよい。また例えば、データ記憶部１２Ａは、契約用サイトの表示データ（例えば、ＨＴＭＬデータ）を記憶してもよい。
【００５４】
［仮登録部］
仮登録部１２Ｂは、管理システム１２内のサーバコンピュータの制御部を主として実現される。本実施形態では、仮登録部１２Ｂは、管理システム１２内のＢＳＳの制御部を主として実現される場合を説明するが、管理システム１２内の他のサーバコンピュータによって仮登録部１２Ｂが実現されてもよい。
【００５５】
仮登録部１２Ｂは、ユーザによる契約前のＳＩＭカード４０を、第１の番号帯に属する第１のＭＤＩＳＤＮ（第１の電話番号）で通信可能な仮登録状態となるように、通信システム１に登録する。
【００５６】
契約前のＳＩＭカード４０とは、契約用サイトでの契約をする前のＳＩＭカード４０であり、本登録前のＳＩＭカード４０である。即ち、契約前のＳＩＭカード４０は、ユーザが利用を開始する前のＳＩＭカード４０であり、移動通信サービスの利用料の支払い義務がユーザに発生する前のＳＩＭカード４０である。
【００５７】
第１の番号帯とは、ＭＳＩＳＤＮの最初の所定桁（例えば、最初の３桁）が所定番号で始まるＭＳＩＳＤＮの集まりであり、後述する第２の番号帯とは異なる番号帯である。本実施形態では、第１の番号帯が０２０番号帯である場合を説明する。このため、本実施形態で０２０番号帯と記載した箇所は、第１の番号帯と読み替えることができる。
【００５８】
例えば、第１の番号帯は、空き番号の数が第２の番号帯よりも多い。空き番号は、どのＳＩＭカード４０にも割り当てられていないＭＳＩＳＤＮであり、未使用のＭＳＩＳＤＮである。即ち、空き番号は、ＳＩＭカード４０に割り当てることができるＭＳＩＳＤＮである。第１の番号帯は、第２の番号帯よりも潤沢な番号帯ということができる。
【００５９】
また例えば、第１の番号帯は、ユニバーサルサービス料が発生しない番号帯である。ユニバーサルサービス料は、特定の番号帯が対象となり、例えば、０７０番号帯、０８０番号帯、及び０９０番号帯は、ユニバーサル料の対象となる。一方、ユニバーサルサービス料は、上記特定の番号帯以外の番号帯は対象とはならず、例えば、０２０番号帯は、ユニバーサル料の対象とはならない。
【００６０】
また例えば、第１の番号帯は、データ通信専用の番号帯である。データ通信専用の番号帯は、原則として通話をすることができない番号帯であり、例えば、Ｍ２Ｍ（Machine to Machine）専用の番号帯である。
【００６１】
仮登録状態は、本登録状態になる前の状態であり、第１のＭＤＩＳＤＮに基づいて、制限された通信が可能な状態である。制限された通信とは、本登録状態よりもアクセス可能なウェブサイトが少ない状態であり、本実施形態では、契約用サイトにだけアクセス可能な状態をいう。本実施形態では、仮登録状態のＳＩＭカード４０は、０２０番号が割り当てられているので、通話が可能になる前の状態ということもできる。
【００６２】
仮登録部１２Ｂは、ＳＩＭ情報データベースにデータが格納されたＳＩＭカード４０のうち、まだ仮登録も本登録もしていないＳＩＭカード４０を処理対象とする。即ち、仮登録部１２Ｂは、ＳＩＭ情報データベースにデータが格納されたＳＩＭカード４０のうち、ＳＩＭカード４０の識別情報が管理システム１２内のＨＳＳ／ＨＬＲ、ネットワーク装置１３、及びＭＮＯシステム２０にまだ登録されていないＳＩＭカード４０を処理対象とする。
【００６３】
なお、ＳＩＭカード４０の識別情報としては、シリアル番号、ＩＭＳＩ、又はＭＳＩＳＤＮの何れが用いられてもよいが、本実施形態ではＩＭＳＩが用いられるものとする。このため、以降の説明において、ＩＭＳＩと記載した箇所については、ＳＩＭカード４０の識別情報と読み替えることができ、当該識別情報として、シリアル番号又はＭＳＩＳＤＮを代用可能である。仮登録部１２Ｂは、ＩＭＳＩが管理システム１２内のＨＳＳ／ＨＬＲ、ネットワーク装置１３、及びＭＮＯシステム２０にまだ登録されていないＳＩＭカード４０を処理対象とすることになる。
【００６４】
例えば、仮登録部１２Ｂは、ＳＩＭカード４０のＩＭＳＩを通信システム１上に記録することによって、当該ＳＩＭカード４０の仮登録を行う。例えば、仮登録部１２Ｂは、ＳＩＭ情報データベースに基づいて、処理対象のＳＩＭカード４０のＩＭＳＩとＭＳＩＳＤＮを特定する。そして、仮登録部１２Ｂは、処理対象のＳＩＭカード４０のＩＭＳＩとＭＳＩＳＤＮを、通信システム１上に記録することによって、ＳＩＭカード４０の仮登録を行う。
【００６５】
本実施形態では、仮登録部１２Ｂは、処理対象のＳＩＭカード４０のＩＭＳＩとＭＳＩＳＤＮを、管理システム１２内のＨＳＳ／ＨＬＲが記憶するユーザ情報データベース、ネットワーク装置１３が記憶する登録状態データベース、及びＭＮＯシステム２０が記憶する開通登録データベースに記録することによって、ＳＩＭカードの仮登録を行う。
【００６６】
本実施形態では、次の３つの工程によって、仮登録部１２Ｂの仮登録が完了する。第１の工程として、仮登録部１２Ｂは、ユーザ情報データベースに新たなレコードを作成し、当該レコードに、処理対象のＳＩＭカード４０のＩＭＳＩとＭＳＩＳＤＮを格納する。第２の工程として、仮登録部１２Ｂは、登録状態データベースに新たなレコードを作成し、当該レコードに、ＳＩＭカード４０のＩＭＳＩと仮登録状態を示す登録状態情報（詳細後述）とを格納する。第３の工程として、仮登録部１２Ｂは、ＭＮＯシステム２０に対し、所定の仮開通登録要求を送信し、ＭＮＯシステム２０は、開通登録データベースに新たなレコードを作成し、当該レコードに、処理対象のＳＩＭカード４０のＩＭＳＩとＭＳＩＳＤＮを格納する。以上により、ＳＩＭカード４０の仮登録が完了し、契約用サイトにアクセス可能な状態となる。
【００６７】
なお、仮登録部１２Ｂの処理は、上記の例に限られない。例えば、ネットワーク装置１３のデータ記憶部１２Ａが、本実施形態のような登録状態データベースではなく、仮登録状態のＳＩＭカード４０のＩＭＳＩのリストを示す仮登録状態データベースを記憶する場合（即ち、登録状態情報が特に存在しない場合）には、仮登録部１２Ｂは、ＳＩＭカード４０のＩＭＳＩを仮登録状態データベースに格納することによって、ＳＩＭカード４０の仮登録を行うようにしてもよい。
【００６８】
［本登録部］
本登録部１２Ｃは、管理システム１２内のサーバコンピュータの制御部を主として実現される。本実施形態では、本登録部１２Ｃは、管理システム１２内のＢＳＳの制御部を主として実現される場合を説明するが、管理システム１２内の他のサーバコンピュータによって本登録部１２Ｃが実現されてもよい。
【００６９】
本登録部１２Ｃは、契約用サイトで契約が行われた場合に、ＳＩＭカード４０を、第２の番号帯に属する第２のＭＳＩＳＤＮ（第２の電話番号）で通信可能な本登録状態となるように、通信システム１に登録する。
【００７０】
第２の番号帯は、先述した第１の番号帯とは異なる番号帯であり、ＭＳＩＳＤＮの最初の所定桁（例えば、最初の３桁）が第１の番号帯とは異なる番号で始まるＭＳＩＳＤＮの集まりである。本実施形態では、第２の番号帯が０７０番号帯、０８０番号帯、又は０９０番号帯である場合を説明する。このため、本実施形態で０７０番号帯、０８０番号帯、又は０９０番号帯と記載した箇所は、第２の番号帯と読み替えることができる。
【００７１】
例えば、第２の番号帯は、空き番号の数が第１の番号帯よりも少ない。このため、第２の番号帯は、第１の番号帯よりも枯渇ぎみの番号帯ということができる。また例えば、第２の番号帯は、ユニバーサルサービス料が発生する番号帯である。また例えば、第２の番号帯は、通話が可能な番号帯である。通話が可能な番号帯は、例えば、Ｍ２Ｍと対比して、Ｈ２Ｈ（Human to Human）用の番号帯ということができる。
【００７２】
本登録状態は、仮登録状態における通信の制限が解除された状態であり、第２のＭＤＩＳＤＮに基づいて、通話やデータ通信が可能な状態である。例えば、本登録状態は、仮登録状態よりもアクセス可能なウェブサイトが多く、契約用サイト以外のウェブサイトにもアクセス可能となる。
【００７３】
本登録部１２Ｃは、仮登録状態のＳＩＭカード４０のうち、通信要求を受信した通信端末３０に格納されたＳＩＭカード４０を処理対象とする。別の言い方をすれば、本登録部１２Ｃは、通信要求を受信した通信端末３０に格納されたＳＩＭカード４０の本登録が済んでいない場合に、当該ＳＩＭカード４０の本登録を行う。
【００７４】
例えば、本登録部１２Ｃは、ＳＩＭカード４０が本登録状態であることを示す情報を通信システム１に記録し、通信システム１上に登録されたＳＩＭカード４０のＭＳＩＳＤＮを、第１のＭＳＩＳＤＮから第２のＭＳＩＳＤＮに変更することによって本登録を行う。本登録部１２Ｃは、０７０番号帯、０８０番号帯、又は０９０番号帯のうち、任意の空き番号を、第２のＭＳＩＳＤＮとして選択すればよい。例えば、本登録部１２Ｃは、空き番号のうち最も小さい番号を第２のＭＳＩＳＤＮとして選択してもよいし、最も大きい番号を第２のＭＳＩＳＤＮとして選択してもよいし、空き番号の中からランダムに第２のＭＳＩＳＤＮを選択してもよい。
【００７５】
本実施形態では、次の３つの工程によって、本登録部１２Ｃの本登録が完了する。第１の工程として、本登録部１２Ｃは、ユーザ情報データベースのうち、処理対象のＳＩＭカード４０のＩＭＳＩが格納されたレコードの第１のＭＳＩＳＤＮを、第２のＭＳＩＳＤＮに変更する。第２の工程として、本登録部１２Ｃは、登録状態データベースのうち、処理対象のＳＩＭカード４０のＩＭＳＩが格納されたレコードの登録状態情報（詳細後述）を、本登録状態を示す値に変更する。第３の工程として、本登録部１２Ｃは、ＭＮＯシステム２０に対し、所定の本開通登録要求を送信し、ＭＮＯシステム２０は、開通登録データベースのうち、処理対象のＳＩＭカード４０のＩＭＳＩが格納されたレコードの第１のＭＳＩＳＤＮを、第２のＭＳＩＳＤＮに変更する。以上により、ＳＩＭカード４０の本登録が完了し、任意のウェブサイトへのアクセスと通話が可能になる。
【００７６】
なお、本登録部１２Ｃの処理は、上記の例に限られない。例えば、ネットワーク装置１３のデータ記憶部１２Ａが、ＩＭＳＩと登録状態情報が関連付けられる登録状態データベースではなく、本登録状態のＳＩＭカード４０のＩＭＳＩのリストを示す本登録状態データベースを記憶する場合（即ち、登録状態情報が特に存在しない場合）には、本登録部１２Ｃは、ＳＩＭカード４０のＩＭＳＩを本登録状態データベースに格納することによって、ＳＩＭカード４０の本登録を行うようにしてもよい。
【００７７】
［指示送信部］
指示送信部１２Ｄは、管理システム１２内のサーバコンピュータの制御部を主として実現される。本実施形態では、指示送信部１２Ｄは、管理システム１２内のＳＭＳＣの制御部を主として実現される場合を説明するが、管理システム１２内の他のサーバコンピュータによって指示送信部１２Ｄが実現されてもよい。
【００７８】
指示送信部１２Ｄは、本登録部１２ＣがＳＩＭカード４０を本登録状態にした場合に、通信端末３０に対し、第１のＭＳＩＳＤＮに代えて第２のＭＳＩＳＤＮをＳＩＭカード４０に書き込むための書込指示を送信する。
【００７９】
書込指示は、通信プロトコルで定められた書き込みコマンドであり、所定形式のデータを送信することで行われる。本実施形態では、指示送信部１２Ｄは、制御ＳＭＳ（ＯＴＡ制御信号）を送信することによって、書込指示を送信する場合を説明する。制御ＳＭＳは、制御型ＳＭＳとも呼ばれるメッセージであり、通信モジュールを内蔵した端末を遠隔で制御するための信号である。
【００８０】
書込指示には、書き込み対象となる第２のＭＳＩＳＤＮが含まれる。書込指示に含まれる第２のＭＳＩＳＤＮは、空き番号データベースに格納された第２の番号帯の空き番号から本登録部１２Ｃが選択したものである。本登録部１２Ｃは、ＳＩＭカード４０の本登録を行う前後において、指示送信部１２Ｄに対し、処理対象のＳＩＭカード３０のＩＭＳＩと第２のＭＳＩＳＤＮを通知し、指示送信部１２Ｄは、当該通知されたＩＭＳＩと第２のＭＳＩＳＤＮに基づいて、処理対象のＳＩＭカード３０が装着された通信端末３０に対し、制御ＳＭＳを書込指示として送信することになる。
【００８１】
［ネットワーク装置のデータ記憶部］
ネットワーク装置１３のデータ記憶部１３Ａは、ネットワーク装置１３の記憶部を主として実現される。データ記憶部１３Ａは、ＭＶＮＯ内の通信を制御するための各種データを記憶する。ここでは、データ記憶部１３Ａが記憶するデータの一例として、登録状態データベースを説明する。
【００８２】
図４は、登録状態データベースのデータ格納例を示す図である。図４に示すように、登録状態データベースは、ＳＩＭカード４０が仮登録状態であるか本登録状態であるかを示すデータベースである。例えば、登録状態データベースには、ＳＩＭカード４０のＩＭＳＩと、当該ＳＩＭカード４０の登録状態を示す登録状態情報と、が関連付けられている。なお、登録状態データベースは、他の情報が格納されていてもよく、例えば、ＳＩＭカード４０のシリアル番号やＭＳＩＳＤＮが格納されていてもよい。
【００８３】
登録状態情報は、ＳＩＭカード４０が仮登録状態であるか本登録状態であるかを示す情報であり、例えば、仮登録状態を示す第１の値と、本登録状態を示す第２の値と、の何れかをとる。本実施形態では、ネットワーク装置１３は、管理システム１２の仮登録部１２Ｂと本登録部１２Ｃの各々の指示に基づいて、登録状態情報の値を設定する。
【００８４】
例えば、仮登録部１２Ｂは、仮登録の対象となるＳＩＭカード４０のＩＭＳＩとともに、ネットワーク装置１３に対し、仮登録を示す所定の要求を送信する。ネットワーク装置１３は、当該要求を受信すると、登録状態データベースに新たなレコードを作成し、受信したＩＭＳＩと、第１の値の登録状態情報と、を格納する。
【００８５】
また例えば、本登録部１２Ｃは、本登録の対象となるＳＩＭカード４０のＩＭＳＩとともに、ネットワーク装置１３に対し、本登録を示す所定の要求を送信する。ネットワーク装置１３は、当該要求を受信すると、登録状態データベースのうち、受信したＩＭＳＩが格納されたレコードの登録状態情報を第２の値に変更する。
【００８６】
なお、データ記憶部１３Ａが記憶するデータは、上記の例に限られない。例えば、データ記憶部１３Ａは、契約用サイトのアドレス情報（例えば、ＵＲＬ、ＩＰアドレス、サーバ名など）を記憶してもよい。また例えば、データ記憶部１３Ａは、登録状態情報を特に利用しない場合には、先述した仮登録データベースや本登録データベースを記憶してもよい。
【００８７】
［通信制御部］
通信制御部１３Ｂは、ネットワーク装置１３の制御部を主として実現される。通信制御部１３Ｂは、仮登録状態のＳＩＭカード４０を含む通信端末３０からの通信要求を受信した場合に、第１のＭＳＩＳＤＮに基づいて、当該通信端末を契約用サイトにアクセスさせる。
【００８８】
通信要求は、通信プロトコルで定められた手順及び形式で行われるようにすればよく、ここでは、通信端末３０のＳＩＭカード４０に格納されたＩＭＳＩが含まれているものとする。また、通信端末３０は、ＭＶＮＯシステム１０に直接的に接続するのではなく、ＭＮＯシステム２０を介して間接的に接続するので、通信制御部１３Ｂは、ＭＮＯシステム２０を介して通信端末３０の通信要求（即ち、ＭＮＯシステム２０が中継した通信要求）を受信することになる。
【００８９】
例えば、ＭＮＯシステム２０が通信端末３０からＩＭＳＩを受信すると、管理システム１２とＭＮＯシステム２０との間で加入者確認処理が実行される。加入者確認処理は、通信要求に含まれるＩＭＳＩが示すＳＩＭカード４０がユーザ情報データベースに正当に登録されているかを確認する処理である。例えば、加入者確認処理では、開通登録データベースに格納されたＩＭＳＩとＭＳＩＳＤＮの組み合わせと、ユーザ情報データベースに格納されたＩＭＳＩとＭＳＩＳＤＮの組み合わせと、が一致するか等が確認される。
【００９０】
加入者確認処理が正当に終了すると、通信制御部１３Ｂは、通信端末３０のＳＩＭカード４０が仮登録状態である場合は、通信端末３０を契約用サイトに転送し、通信端末３０のＳＩＭカード４０が本登録状態である場合は、通信要求に応じた接続先に通信端末３０をアクセスさせる。例えば、通信制御部１３Ｂは、登録状態データベースを参照し、通信端末３０の通信要求に含まれるＩＭＳＩに関連付けられた登録状態情報を参照する。通信制御部１３Ｂは、当該登録状態情報が仮登録状態を示す場合、通信端末３０を契約用サイトに転送し、当該登録状態情報が本登録状態を示す場合、通信要求に応じた接続先に通信端末３０をアクセスさせる。
【００９１】
本実施形態では、通信制御部１３Ｂは、仮登録状態のＳＩＭカード４０を含む通信端末３０からの通信要求を受信した場合に、当該通信端末３０が契約用サイト以外にアクセスすることを制限する。即ち、通信制御部１３Ｂは、仮登録状態のＳＩＭカード４０を含む通信端末３０が、契約用サイト以外のウェブサイトへのアクセスを要求した場合であっても、当該ウェブサイトへのアクセスを禁止する。例えば、通信制御部１３Ｂは、当該通信端末３０にどのウェブサイトにもアクセスさせないようにしてもよいし、強制的に契約用サイトに転送してもよい。
【００９２】
［３−２．ＭＮＯシステムにおいて実現される機能］
図３に示すように、ＭＮＯシステム２０では、データ記憶部２０Ａと通信制御部２０Ｂが実現される。
【００９３】
［データ記憶部］
データ記憶部２０Ａは、ＭＮＯシステム２０内のサーバコンピュータの記憶部を主として実現される。データ記憶部２０Ａは、ＭＮＯ及びＭＶＮＯが提供する移動通信サービスに関する各種データを記憶する。ここでは、データ記憶部２０Ａが記憶するデータの一例として、開通登録データベースを説明する。
【００９４】
開通登録データベースは、移動通信サービスを利用可能なＳＩＭカード４０に関する情報が格納され、例えば、ＳＩＭカード４０のＩＭＳＩとＭＳＩＳＤＮが格納される。開通登録データベースにＩＭＳＩとＭＳＩＳＤＮが格納されたＳＩＭカード４０は、ＭＮＯが保有する通信網を利用可能な状態となっており、通信が開通した状態となっている。
【００９５】
本実施形態では、ＭＮＯが提供する移動通信サービスと、ＭＶＮＯが提供する移動通信サービスと、が存在するので、開通登録データベースでは、各ＳＩＭカード４０が、ＭＮＯとＭＶＮＯの何れの移動通信サービスを利用するかが識別可能となっている。ＭＶＮＯが提供する移動通信サービスを利用するＳＩＭカード４０については、ＳＩＭカード４０がどのＭＶＮＯに対応するかが、開通登録データベースに示されている。このため、開通登録データベースには、ＩＭＳＩ及びＭＳＩＳＤＮと、ＭＶＮＯの識別情報（例えば、ＩＤや事業者名など）と、が関連付けられて格納される。即ち、開通登録データベースには、このＩＭＳＩの通信要求を受信したら、どのＭＶＮＯシステム１０に転送すべきかが示されている。
【００９６】
［通信制御部］
通信制御部２０Ｂは、ＭＮＯシステム２０内のサーバコンピュータの制御部を主として実現される。通信制御部２０Ｂは、通信端末３０から通信要求を受信した場合に、開通登録データベースに基づいて、通信可否を判定する。通信端末３０からの通信要求は、ＭＮＯシステム２０内の無線設備が受信し、通信制御部２０Ｂに転送される。通信制御部２０Ｂは、無線設備から転送された通信要求に含まれるＩＭＳＩが、開通登録データベースに存在するかを判定する。
【００９７】
通信制御部２０Ｂは、通信要求に含まれるＩＭＳＩが開通登録データベースに存在する場合、通信を許可し、通信要求に含まれるＩＭＳＩが開通登録データベースに存在しない場合、通信を許可しない。通信制御部２０Ｂは、通信を許可した場合、通信要求に含まれるＩＭＳＩに関連付けられたＭＶＮＯに対し、通信要求を転送する。なお、通信制御部２０Ｂは、ＭＮＯが提供する移動通信サービスを利用するＳＩＭカード４０からの通信要求を受信した場合は、特にＭＶＮＯに通信要求を転送することなく、ＭＮＯシステム２０内のＨＳＳ／ＨＬＲに対し、通信要求を転送する。
【００９８】
［３−３．通信端末に実現される機能］
図３に示すように、通信端末３０では、通信要求送信部３０Ａが実現される。通信要求送信部３０Ａは、通信端末３０の制御部を主として実現される。通信要求送信部３０Ａは、通信端末３０にＳＩＭカード４０が装着された場合に、ＭＮＯシステム２０に対し、通信要求を送信する。通信要求送信部３０Ａは、ＳＩＭカード４０に格納されたＩＭＳＩを読み出し、読み出したＩＭＳＩを通信要求に含めて送信する。例えば、通信要求送信部３０Ａは、ＳＩＭカード４０が装着された通信端末３０において、ブラウザやアプリケーションが起動した場合に、通信要求を送信する。
【００９９】
［３−４．ＳＩＭカードにおいて実現される機能］
図３に示すように、ＳＩＭカード４０では、データ記憶部４０Ａと書き換え部４０Ｂが実現される。
【０１００】
［データ記憶部］
データ記憶部４０Ａは、ＳＩＭカード４０の記憶部を主として実現される。データ記憶部４０Ａは、ＳＩＭカード４０のシリアル番号、ＩＭＳＩ、及びＭＳＩＳＤＮを記憶する。本実施形態では、ＳＩＭカード４０が仮登録状態である場合は、データ記憶部４０Ａは、シリアル番号、ＩＭＳＩ、及び第１のＭＳＩＳＤＮを記憶し、ＳＩＭカード４０が本登録状態である場合は、データ記憶部４０Ａは、シリアル番号、ＩＭＳＩ、及び第２のＭＳＩＳＤＮを記憶する。
【０１０１】
なお、本実施形態では、データ記憶部４０Ａに記憶された第１のＭＳＩＳＤＮ又は第２のＭＳＩＳＤＮは、通信端末３０がＭＮＯシステム２０に送信する通信要求には含まれないものとするが、通信要求に含まれてもよい。また、データ記憶部４０Ａに記憶されたＳＩＭカード４０のシリアル番号、ＩＭＳＩ、及びＭＳＩＳＤＮは、通信端末３０の表示部に表示可能であってもよい。
【０１０２】
［書き換え部］
書き換え部４０Ｂは、通信端末３０の制御部を主として実現される。書き換え部４０Ｂは、書込指示に基づいて、ＳＩＭカード４０に格納されたＭＳＩＳＤＮを書き換える。書き換え部４０Ｂは、ＳＩＭカード４０に格納された第１のＭＳＩＳＤＮを消去し、書込指示に含まれる第２のＭＳＩＳＤＮを書き込む。本実施形態では、書込指示として制御ＳＭＳが利用されるので、書き換え部４０Ｂは、制御ＳＭＳの実行結果に基づいて、第２のＭＳＩＳＤＮをデータ記憶部４０Ａに書き込む。
【０１０３】
［４．本実施形態において実行される処理］
図５及び図６は、通信システム１において実行される処理の一例を示すフロー図である。図５及び図６に示す処理は、センター端末１１、管理システム１２内のサーバコンピュータ（例えば、ＢＳＳ、ＨＳＳ／ＨＬＲ、ＳＭＳＣ）、ＭＮＯシステム２０内のサーバコンピュータ、及び通信端末３０の各々が、自身の記憶部に記憶されたプログラムに従って動作することによって実行される。下記に説明する処理は、図３に示す機能ブロックにより実行される処理の一例である。
【０１０４】
なお、図５及び図６の処理が実行されるにあたり、ＳＩＭベンダからＭＶＮＯにＳＩＭカード４０が納品されており、ＭＶＮＯの担当者により、納品されたＳＩＭカード４０のデータがＳＩＭ情報データベースに登録されているものとする。先述したように、ＳＩＭカード４０には、０２０番号帯の第１のＭＳＩＳＤＮが割り当てられている。
【０１０５】
図５に示すように、まず、ＭＶＮＯシステム１０において、センター端末１１は、担当者が所定の操作を行うと、管理システム１２内のＢＳＳに対し、ＳＩＭカード４０の仮登録要求を送信する（Ｓ１００）。仮登録要求は、ＳＩＭ情報データベースにデータが登録されたＳＩＭカード４０（例えば、小売店への出荷準備中のＳＩＭカード４０）の仮登録処理の実行要求であり、所定形式のデータが送信されることによって行われる。
【０１０６】
管理システム１２内のＢＳＳは、仮登録要求を受信すると、管理システム１２内のＨＳＳ／ＨＬＲ、ネットワーク装置１３、及びＭＮＯシステム２０と協働して、仮登録処理を実行する（Ｓ１０１）。Ｓ１０１の仮登録処理は、次の３つの工程により行われる。
【０１０７】
第１の工程として、管理システム１２内のＢＳＳは、自身の記憶部に記憶されたＳＩＭ情報データベースに基づいて、管理システム１２内のＨＳＳ／ＨＬＲに対し、ユーザ情報データベースの更新要求を送信する。この更新要求は、ユーザ情報データベースへの登録対象となるデータを含み、例えば、仮登録の対象となるＳＩＭカード４０のＩＭＳＩとＭＳＩＳＤＮの組み合わせを含む。この時点では、０２０番号帯の第１のＭＳＩＳＤＮがユーザ情報データベースに登録されることになる。
【０１０８】
第２の工程として、管理システム１２内のＢＳＳは、ネットワーク装置１３に対し、仮アクティベート要求を送信する。仮アクティベートは、仮登録の対象となるＳＩＭカード４０のＩＭＳＩを、ネットワーク装置１３に登録する処理である。仮アクティベート要求は、登録状態データベースへの登録対象となるデータを含み、例えば、仮登録の対象となるＳＩＭカード４０のＩＭＳＩを含む。ネットワーク装置１３は、仮アクティベート要求を受信すると、登録状態データベースに新たなレコードを作成し、当該レコードに、仮アクティベート要求に含まれるＩＭＳＩと、仮登録状態を示す登録状態情報と、を格納する。
【０１０９】
第３の工程として、管理システム１２内のＢＳＳは、ＭＮＯシステム２０に対し、仮開通登録要求を送信する。仮開通登録は、仮登録の対象となるＳＩＭカード４０のＩＭＳＩを、ＭＮＯシステム２０に登録する処理である。仮開通登録要求は、開通登録データベースへの登録対象となるデータを含み、例えば、通信を開通するＳＩＭカード４０のＩＭＳＩとＭＳＩＳＤＮを含む。ＭＮＯシステム２０は、仮開通登録要求を受信すると、開通登録データベースに新たなレコードを作成し、当該レコードに、仮開通登録用空に含まれるＩＭＳＩ及びＭＳＩＳＤＮと、ＭＶＮＯの識別情報と、を格納する。ＭＶＮＯの識別情報は、仮開通登録要求に含まれるものとする。
【０１１０】
以上のようにして、Ｓ１０１におけるＳＩＭカード４０の仮登録処理が実行される。この時点では、ＳＩＭカード４０は０２０番号帯なので、ユニバーサル料は発生せず、ＭＮＯに対する月額料金も発生しない。ＳＩＭカード４０の仮登録処理が完了すると、ＭＶＮＯは、小売店に対し、ＳＩＭカード４０を出荷する。ユーザは、小売店でＳＩＭカード４０を購入し、自身の通信端末３０に装着し、通信端末３０の通信機能を起動させると、以降の処理が実行される。
【０１１１】
通信端末３０は、ＭＮＯシステム２０に対し、所定の通信要求を送信する（Ｓ１０２）。通信要求は、通信プロトコルに定められた手順及びデータ形式で行われるようにすればよく、ここでは、通信端末３０のＳＩＭカード４０に格納されたＩＭＳＩが含まれるものとする。
【０１１２】
ＭＮＯシステム２０においては、通信要求を受信すると、通信要求をした通信端末３０が通信可能であるかを判定する（Ｓ１０３）。Ｓ１０３においては、ＭＮＯシステム２０は、通信要求に含まれるＩＭＳＩが開通登録データベースに格納されているかを判定する。ＭＮＯシステム２０は、通信要求に含まれるＩＭＳＩが開通登録データベースに格納されている場合は通信可能と判定し、通信要求に含まれるＩＭＳＩが開通登録データベースに格納されていない場合は通信不可と判定する。通信可能であると判定されない場合（Ｓ１０３；Ｎ）、本処理は終了する。
【０１１３】
一方、通信可能であると判定された場合（Ｓ１０３；Ｙ）、ＭＮＯシステム２０と、ＭＶＮＯシステム１０の管理システム１２と、の間で加入者確認処理を実行する（Ｓ１０４）。Ｓ１０４においては、ＭＮＯシステム２０は、開通登録データベースに基づいて、相手先のＭＶＮＯシステム１０を特定する。そして、ＭＮＯシステム２０は、特定したＭＶＮＯシステム１０に対し、加入者確認要求を送信する。加入者確認要求は、ＭＶＮＯシステム１０にユーザ情報が登録されているかを確認するための要求であり、通信プロトコルに定められた手順及びデータ形式で行われるようにすればよい。ＭＶＮＯシステム１０の管理システム１２は、加入者確認要求を受信すると、ＩＭＳＩとＭＳＩＳＤＮの正当性を確認する。
【０１１４】
加入者確認が行わると、図６に移り、ＭＶＮＯシステム１０の管理システム１２と通信端末３０との間で、契約用サイトの表示処理が実行される（Ｓ１０５）。Ｓ１０５においては、ＭＮＯシステム２０から通信端末３０に対し、加入者確認が正当に終了した旨の通知が送信され、通信端末３０は、ＭＮＯシステム２０を介してネットワーク装置１３に対し、ＳＩＭカード４０のＩＭＳＩを含む所定のアクセス要求を送信する。ネットワーク装置１３は、アクセス要求を受信すると、登録状態データベースを参照し、アクセス要求に含まれるＩＭＳＩの登録状態情報を参照する。登録状態情報が仮登録状態を示していれば、ネットワーク装置１３は、契約用サイトに通信端末３０を転送する。このため、もし仮に、契約用サイト以外のウェブサイトへのアクセス要求だったとしても、通信端末３０は、強制的に契約用サイトにアクセスすることになる。
【０１１５】
通信端末３０に契約用サイトが表示されると、ＭＶＮＯシステム１０内の管理システム１２と通信端末３０との間で、契約処理が実行される（Ｓ１０６）。Ｓ１０６においては、通信端末３０は、契約用サイトでユーザが入力した契約情報を送信し、管理システム１２内のＢＳＳは、ユーザが入力した契約情報を自身の記憶部に記録する。
【０１１６】
契約処理が実行されると、ＭＶＮＯシステム１０内の管理システム１２と通信端末３０との間で、第２のＭＳＩＳＤＮの書き込み処理が実行される（Ｓ１０７）。Ｓ１０７においては、管理システム１２は、ＭＮＯシステム２０に対し、ＯＴＡ実行指示を送信する。ＯＴＡ実行指示は、０７０番号帯、０８０番号帯、又は０９０番号帯に書き換えるための指示であり、制御ＳＭＳを送信することによって行われる。制御ＳＭＳには、第２のＭＳＩＳＤＮ（０７０番号帯、０８０番号帯、又は０９０番号帯のＭＳＩＳＤＮ）が含まれている。ＭＮＯシステム２０は、制御ＳＭＳを受信すると、Ｓ１０３と同様の処理によって通信可否を判定すると、通信端末３０に対し、制御ＳＭＳを送信する。通信端末３０は、制御ＳＭＳを受信すると、第２のＭＳＩＳＤＮをＳＩＭカード４０に書き込むことになる。通信端末３０は、ＭＶＮＯシステム１０に対し、ＯＴＡ成功レスポンスを送信し、Ｓ１０７の処理は完了する。
【０１１７】
第２のＭＳＩＳＤＮの書き込み処理が実行されると、管理システム１２内のＢＳＳは、管理システム１２内のＨＳＳ／ＨＬＲ、ネットワーク装置１３、及びＭＮＯシステム２０と協働して、本登録処理を実行し（Ｓ１０８）、本処理は終了する。Ｓ１０８の本登録処理は、次の３つの工程により行われる。
【０１１８】
第１の工程として、管理システム１２内のＢＳＳは、自身の記憶部に記憶されたＳＩＭ情報データベースに基づいて、管理システム１２内のＨＳＳ／ＨＬＲに対し、ユーザ情報データベースの更新要求を送信する。この更新要求は、ユーザ情報データベースへの登録対象となるデータを含み、例えば、本登録の対象となるＳＩＭカード４０のＩＭＳＩとＭＳＩＳＤＮの組み合わせを含む。この時点では、０７０番号帯、０８０番号帯、又は０９０番号帯の第２のＭＳＩＳＤＮがユーザ情報データベースに登録されることになる。
【０１１９】
第２の工程として、管理システム１２内のＢＳＳは、ネットワーク装置１３に対し、本アクティベート要求を送信する。本アクティベートは、本登録の対象となるＳＩＭカード４０のＩＭＳＩを、ネットワーク装置１３に登録する処理である。本アクティベート要求は、登録状態データベースへの登録対象となるデータを含み、例えば、本登録の対象となるＳＩＭカード４０のＩＭＳＩを含む。ネットワーク装置１３は、本アクティベート要求を受信すると、登録状態データベースのうち、本アクティベート要求に含まれるＩＭＳＩが格納されたレコードの登録状態情報を、本登録状態を示すように変更する。
【０１２０】
第３の工程として、管理システム１２内のＢＳＳは、ＭＮＯシステム２０に対し、本開通登録要求を送信する。本開通登録は、本登録の対象となるＳＩＭカード４０のＩＭＳＩを、ＭＮＯシステム２０に登録する処理である。本開通登録要求は、開通登録データベースへの登録対象となるデータを含み、例えば、通信を開通するＳＩＭカード４０のＩＭＳＩとＭＳＩＳＤＮを含む。ＭＮＯシステム２０は、本開通登録要求を受信すると、開通登録データベースのうち、本開通登録要求に含まれるＩＭＳＩが格納されたレコードのＭＳＩＳＤＮを、第２のＭＳＩＳＤＮに更新する。
【０１２１】
以上のようにして、Ｓ１０８におけるＳＩＭカード４０の本登録処理が実行される。本登録処理により、ＳＩＭカード４０は、０７０番号帯、０８０番号帯、又は０９０番号帯に変更されるので、仮登録処理における通信の制限が解除され、通話が可能な状態となる。更に、ユニバーサル料が発生し、ＭＮＯに対する月額料金も発生する。
【０１２２】
以上説明した通信システム１によれば、契約前のＳＩＭカード４０には、第１の番号帯に属する第１のＭＳＩＳＤＮを割り当てておき、ＳＩＭカード４０の契約後に、第２の番号帯に属する第２のＭＳＩＳＤＮに変更することによって、契約前のＳＩＭカード４０のために第２の番号帯を消費してしまうことを防止し、特定の番号帯の消費を抑えることができる。また、ＳＩＭカード４０が第２のＭＳＩＳＤＮに変更された後は、それまで割り当てられていた第１のＭＳＩＳＤＮが解放されるので、当該第１のＭＳＩＳＤＮを他のＳＩＭカード４０に割り当てることができる。また、ユーザがＳＩＭカード４０を通信端末３０に装着し、自分で契約手続きをすることができるので、ＳＩＭカード４０の利用を開始する際の小売店やユーザの手間を省くことができる。例えば、従来は、ＭＳＩＳＤＮが割り当てられてはいるが、ＩＭＳＩがＨＳＳ／ＨＬＲに登録されていないＳＩＭカード（いわゆる半黒ロム）は、契約後に小売店がＭＮＯに電話等で依頼し、ＨＳＳ／ＨＬＲにＩＭＳＩを登録してもらう手間（人手で開通を依頼する手間）が発生していたが、通信システム１によれば、このような手間を省くことができる。他にも例えば、従来、ＭＳＩＳＤＮが割り当てられており、ＩＭＳＩがＨＳＳ／ＨＬＲに登録されてはいるが、通常のデータ通信や通話が制限されており、ＯＴＡ制御信号のみが許可されたＳＩＭカード（いわゆるＯＴＡロム）がＭＮＰ（Mobile Number Portability）で利用されており、契約後に小売店がＭＮＯに電話等で依頼してＯＴＡによってＭＮＰのＭＳＩＳＤＮをＳＩＭカードに書き込む手間が発生していたが、通信システム１によれば、このような手間を省くことができる。
【０１２３】
また、第２の番号帯は第１の番号帯よりも空き番号の数が少なく、契約前の仮登録状態のＳＩＭカード４０のために、枯渇ぎみの第２の番号帯を消費することを防止することができる。また、契約のために必要な通信を、潤沢な第１の番号帯を利用して行うことができる。
【０１２４】
また、第１の番号帯はユニバーサルサービス料が発生せず、第２の番号帯はユニバーサルサービス料が発生するため、契約前のＳＩＭカード４０のために、ＭＶＮＯやユーザがユニバーサルサービス料を負担することを防止できる。また、仮登録状態のＳＩＭカード４０は、ＭＮＯの月額料金が発生しないので、契約前のＳＩＭカード４０のためにＭＮＯの月額料金が発生してしまうことを防止することもできる。例えば、従来、ＭＳＩＳが割り当てられており、ＩＭＳＩがＨＳＳ／ＨＬＲに登録されたＳＩＭカード（いわゆる黒ロム）は、小売店や自動販売機中にある状態でもユニバーサル料やＭＮＯの月額料金が発生していたが、通信システム１によれば、このような料金の発生を防止できる。
【０１２５】
また、第１の番号帯はデータ通信専用の番号帯であり、第２の番号帯は通話が可能な番号帯であり、契約前の仮登録状態のＳＩＭカード４０に対し、契約時に不要な通話機能を有する特定の番号帯が割り当てられてしまうことを防止できる。
【０１２６】
また、仮登録状態のＳＩＭカード４０を含む通信端末３０からの通信要求を受信した場合に、当該通信端末３０が契約用ウェブサイト以外にアクセスすることを制限することで、契約前のＳＩＭカード４０が自由に使用できてしまうことを防止できる。
【０１２７】
また、通信端末３０に対し、第１のＭＳＩＳＤＮに代えて第２のＭＳＩＳＤＮをＳＩＭカード４０に書き込むための指示が送信されるので、ＯＴＡを利用して、ＳＩＭカード４０に格納されるＭＳＩＳＤＮを更新することができる。このため、ユーザが小売店等にＳＩＭカード４０を持ち込まなくても、ＳＩＭカード４０のＭＳＩＳＤＮを更新することができる。
【０１２８】
［５．変形例］
なお、本発明は、以上に説明した実施形態に限定されるものではない。本発明の趣旨を逸脱しない範囲で、適宜変更可能である。
【０１２９】
例えば、ユーザは、契約時にＳＩＭカード４０のＭＳＩＳＤＮを変更しなければならないわけではなく、契約用サイトでは、第１のＭＳＩＳＤＮのまま契約する第１の契約、又は、第１のＭＳＩＳＤＮを第２のＭＳＩＳＤＮに変更して契約する第２の契約が可能であってもよい。
【０１３０】
第１の契約は、ＭＳＩＳＤＮを変更せずに本登録するための契約であり、本実施形態では、仮登録状態のＳＩＭカード４０を、そのままデータ通信専用のＳＩＭカード４０として利用するための契約である。第２の契約は、ＭＳＩＳＤＮを変更して本登録するための契約であり、本実施形態では、仮登録状態のＳＩＭカード４０を、通話も可能なＳＩＭカード４０として利用するための契約である。
【０１３１】
例えば、契約用サイトでは、第１の契約をするための第１の画像と、第２の契約をするための第２の画像と、が表示される。第１の画像と第２の画像は、ユーザが契約内容を選択するための画像であり、例えば、ブラウザ上に表示されるボタン、チェックボックス、又は入力フォームなどである。ユーザは、第１の画像を選択することで、第１の契約をすることができ、第２の画像を選択することで、第２の契約をすることができる。
【０１３２】
例えば、本登録部１２Ｃは、ユーザが第１の契約をした場合は第１のＭＳＩＳＤＮのままＳＩＭカード４０を本登録状態とし、ユーザが第２の契約をした場合は第２のＭＳＩＳＤＮでＳＩＭカード４０を本登録状態とする。本登録部１２Ｃは、ユーザが第１の契約をした場合はＭＳＩＳＤＮを変更する処理をせずに、ＳＩＭカード４０を本登録状態とする。本登録処理の詳細は、実施形態で説明した通りである。
【０１３３】
上記変形例によれば、ユーザが第１の契約をする場合に、データ通信専用のＳＩＭカード４０として使用させることができ、ユーザの利便性が向上する。
【０１３４】
また例えば、通信システム１は、ＳＩＭカード４０の販売時だけでなく、ＭＮＰの利用時にも適用可能である。この場合、仮登録状態のＳＩＭカード４０は、ＭＮＰの仮番号が割り当てられた状態であり、本登録状態のＳＩＭカード４０は、ＭＮＰ後の番号が割り当てられた状態となる。ＭＮＰの仮番号は第１のＭＳＩＳＤＮであり、ＭＮＰ後の番号は第２のＭＳＩＳＤＮである。ＭＮＰの利用時においても、実施形態で説明した仮登録処理と本登録処理が実行されるようにすればよい。
【０１３５】
また例えば、第２の番号帯は、空き番号の数が第１の番号帯と同じであってもよいし、空き番号の数が第２の番号帯よりも多くてもよい。また例えば、第１の番号帯は、ユニバーサルサービス料が発生してもよいし、第２の番号帯は、ユニバーサルサービス料が発生しなくてもよい。また例えば、第１の番号帯は通話が可能な番号帯であってもよいし、第２の番号帯はデータ通信専用の番号帯であってもよい。また例えば、仮登録状態のＳＩＭカード４０に対しては契約用サイト以外のサイトへのアクセスが許可されてもよい。また例えば、ＳＩＭカード４０には、ＭＳＩＳＤＮが書き込まれなくてもよく、ＯＴＡにより第２のＭＳＩＳＤＮが書き込まれなくてもよい。
【０１３６】
また例えば、通信システム１の各機能のうち、仮登録部１２Ｂ、本登録部１２Ｃ、及び通信制御部１３Ｂ以外の機能は省略してもよい。また、仮登録部１２Ｂと本登録部１２が管理システム１２内のＢＳＳで実現される場合を説明したが、仮登録部１２Ｂと本登録部１２は、ＭＶＮＯシステム１２内で実現されるようにすればよく、管理システム１２内のＨＳＳ／ＨＬＲで実現されてもよいし、センター端末１１で実現されてもよい。同様に、通信制御部１３Ｂがネットワーク装置１３で実現される場合を説明したが、通信制御部１３Ｂは、ＭＶＮＯシステム１２内で実現されるようにすればよく、管理システム１２内のＢＳＳ又はＨＳＳ／ＨＬＲで実現されてもよい。この場合、ネットワーク装置１３が記憶するものとして説明した登録状態データベースは、管理システム１２のデータ記憶部１２Ａが記憶してもよい。更に、通信システム１が、ＭＶＮＯシステム１０、ＭＮＯシステム２０、及び通信端末３０を含む場合を説明したが、ＭＶＮＯシステム１０だけが通信システム１に相当してもよい。
【符号の説明】
【０１３７】
１  通信システム、１０  ＭＶＮＯシステム、１１  センター端末、１２  管理システム、１２Ａ  データ記憶部、１２Ｂ  仮登録部、１２Ｃ  本登録部、１２Ｄ  指示送信部、１３  ネットワーク装置、１３Ａ  データ記憶部、１３Ｂ  通信制御部、２０  ＭＮＯシステム、２０Ａ  データ記憶部、２０Ｂ  通信制御部、３０  通信端末、３０Ａ  通信要求送信部、４０  ＳＩＭカード、４０Ａ  データ記憶部、４０Ｂ  書き換え部。
【図１】
2019062509.tif 000003
【図２】
2019062509.tif 000004
【図３】
2019062509.tif 000005
【図４】
2019062509.tif 000006
【図５】
2019062509.tif 000007
【図６】
2019062509.tif 000008